(57)【要約】【課題】筐体内温度に応じて蓋を閉止状態に拘束又は解除できるとともに、筐体内温度の低下が鈍い場合も蓋の閉止状態を早期に解除できる蓋閉止構造及び該蓋閉止構造を備える投射型画像表示装置を提供する。【解決手段】筐体１０は係合部を備え、蓋６に移動自在に支持され、移動して係合部と係合（又は離脱）し蓋６を閉止状態に拘束（又は解除）する蓋閉止部材と、蓋閉止部材に形状回復力を付与する形状記憶部材と、蓋閉止部材を付勢する弾性体とを備える構成である。【選択図】図１
2007251058.tif 000002
【特許請求の範囲】
【請求項１】
筐体が有する開口部を開閉する蓋を閉止する蓋閉止構造において、
前記筐体は係合部を備え、
前記蓋に移動自在に支持され、移動して前記係合部と係合（又は離脱）し前記蓋を閉止状態に拘束（又は解除）する蓋閉止部材と、
該蓋閉止部材に形状回復力を付与する形状記憶部材と、
前記蓋閉止部材を付勢する弾性体とを備えることを特徴とする蓋閉止構造。
【請求項２】
前記蓋閉止部材は軸状をなし、
前記形状記憶部材（又は前記弾性体）は、前記蓋閉止部材に外嵌して軸長方向に形状回復力（又は該形状回復力と相対向する付勢力）を付与するバネであり、
前記筐体内温度に応じて変形する前記形状記憶部材の形状回復力が前記弾性体の付勢力より大なる（又は小なる）場合、前記蓋閉止部材を軸長方向の一方（又は他方）に移動させて前記係合部に係合（又は前記係合部より離脱）させるように構成してあることを特徴とする請求項１に記載の蓋閉止構造。
【請求項３】
前記蓋閉止部材が前記係合部に係合しているか否かを検出する検出部と、該検出部の検出結果を表示する表示部とを備えることを特徴とする請求項１又は２に記載の蓋閉止構造。
【請求項４】
前記蓋閉止部材の移動を操作する操作部を備えることを特徴とする請求項１乃至３の何れか一つに記載の蓋閉止構造。
【請求項５】
筐体が有する開口部を開閉する蓋を閉止する蓋閉止構造を備え、筐体内に収納しているランプを前記開口部を介して挿脱する投射型画像表示装置において、
前記蓋閉止構造は、請求項１乃至４の何れか一つに記載の蓋閉止構造であることを特徴とする投射型画像表示装置。
【発明の詳細な説明】
【技術分野】
【０００１】
本発明は、筐体が有する開口部を開閉する蓋を閉止する蓋閉止構造及び該蓋閉止構造を備える投射型画像表示装置に関し、特に筐体内温度に応じて蓋を閉止状態に拘束又は解除できる蓋閉止構造及び投射型画像表示装置に関する。
【背景技術】
【０００２】
従来、プロジェクター又はランプ付光学顕微鏡等の装置において、該装置が搭載している古いランプを外して新しいランプに交換できるものがある。
【０００３】
しかし、ランプは、長時間使用した場合、高温に達し、交換のために筐体内部に手を入れた作業者は、ランプに触れて火傷する虞がある。
【０００４】
そこで、従来、ランプなどの部品交換用開口部を密閉する蓋に掛止部を設ける一方、筐体内部に、形状記憶合金から成るロック部材を設けた装置がある（特許文献１又は２）。
【０００５】
当該装置において、部品が長時間使用され高温になる場合、部品温度に伴って上昇する筐体内温度により、ロック部材は変態（撓曲）を開始し、掛止部に掛止する位置に達した際、蓋を筐体に対して閉止状態に拘束させる。他方、高温の部品が冷めた場合、部品温度に伴って低下していく筐体内空気の温度により、ロック部材は、逆変態を開始して収縮していき、掛止部から離脱して蓋を筐体への閉止状態の拘束から解除させる。
【０００６】
その結果、作業者は、高温になった部品による火傷を免れ、他方、冷却された部品の交換作業ができる。
【特許文献１】特開平１０−３１１６３号公報
【特許文献２】特開２００５−１３４５７５号公報
【発明の開示】
【発明が解決しようとする課題】
【０００７】
しかしながら、特許文献１及び２に記載された装置は、ロック部材が掛止部から離脱する際、部品は筐体内空気への放熱により冷めるが、筐体内は蓋により外気から遮断されて温度の低下が鈍く、筐体内部に設けられたロック部材の収縮も緩慢になる。そのため、部品が冷めても、ロック部材が掛止部から離脱するまでに時間がかかり、その間、作業者は、開蓋することができず交換作業を開始することができない。
【０００８】
また、特許文献１及び２に記載された発明にあっては、作業者は、筐体外部から蓋の閉止状態が拘束されているか否かについて確認できないため、作業者は、蓋の閉止状態の拘束が解除されていないにもかかわらず、無理に開蓋させて、蓋，ロック部材及び掛止部を破壊してしまう虞がある。
【０００９】
また、特許文献１及び２に記載された発明にあっては、ロック部材が筐体内部に設置されているため、緊急時又はロック部材が故障した場合、ロック部材を外部から手動で移動させることができず、作業者は蓋の閉止状態の拘束を解除することが全くできない。
【００１０】
本発明はこのような事情に鑑みてなされたものであって、ロック部材である蓋閉止部材に形状回復力を付与する形状記憶部材に加えて付勢力を付与する弾性体を備えることにより、筐体内温度の低下が鈍くなった場合でも蓋閉止部材を係合部から早期に離脱でき、作業者は迅速に交換作業が開始できる蓋閉止構造を提供することにある。
【００１１】
また、本発明の他の目的は、蓋閉止構造を、前記蓋閉止部材に外嵌して軸長方向に形状回復力を付与するバネ又は形状回復力と相対向する付勢力を付与するバネにより蓋閉止部材が軸長方向に移動する構成にすることにより、形状回復力又は付勢力を付与するバネの配置空間を小さくできるとともに、バネの伸縮方向と蓋閉止部材の移動方向とを同じにして形状回復力及び付勢力を伝わり易くし、形状回復力を超えた付勢力により蓋閉止部材を移動方向の一方に移動して、蓋閉止部材を確実に係合部から離脱でき、迅速かつ確実に交換作業が開始できる蓋閉止構造を提供することにある。
【００１２】
また、本発明の他の目的は、蓋閉止部材が係合部に係合しているか否かを検出する検出部と検出部の検出結果を表示する表示部とを備えることにより、筐体外部から蓋の閉止状態の拘束が確認できる蓋閉止装置を提供することにある。
【００１３】
また、本発明の他の目的は、蓋閉止部材の移動を操作する操作部を備えることにより、手動にて蓋の閉止状態の拘束又は解除させることができる蓋閉止構造を提供することにある。
【００１４】
更にまた、本発明の他の目的は、蓋閉止部材に形状回復力を付与する形状記憶部材に加えて付勢力を付与する弾性体を備えることにより、筐体内温度の低下が鈍くなった場合でも蓋閉止部材を係合部から早期に離脱でき、作業者は迅速にランプの交換作業が開始できる投射型画像表示装置を提供することにある。
【課題を解決するための手段】
【００１５】
上記課題を解決するために本発明に係る蓋閉止構造は、筐体が有する開口部を開閉する蓋を閉止する蓋閉止構造において、前記筐体は係合部を備え、前記蓋に移動自在に支持され、移動して前記係合部と係合（又は離脱）し前記蓋を閉止状態に拘束（又は解除）する蓋閉止部材と、該蓋閉止部材に形状回復力を付与する形状記憶部材と、前記蓋閉止部材を付勢する弾性体とを備えることを特徴とする。
【００１６】
本発明にあっては、例えば筐体内の部品が発熱し、上昇していく筐体内温度により形状回復力が強まる結果、蓋閉止部材は、付勢力を超えた形状回復力により係合部に係合する。他方、部品が冷え、筐体を介して低下する筐体内温度により形状回復力が弱まり付勢力を下回る場合、蓋閉止部材は、該付勢力により係合部から離脱する。
【００１７】
また、本発明に係る蓋閉止構造は、前記蓋閉止部材は軸状をなし、前記形状記憶部材（又は前記弾性体）は、前記蓋閉止部材に外嵌して軸長方向に形状回復力（又は該形状回復力と相対向する付勢力）を付与するバネであり、前記筐体内温度に応じて変形する前記形状記憶部材の形状回復力が前記弾性体の付勢力より大なる（又は小なる）場合、前記蓋閉止部材を軸長方向の一方（又は他方）に移動させて前記係合部に係合（又は前記係合部より離脱）させるように構成してあることを特徴とする。
【００１８】
本発明にあっては、形状回復力又は付勢力を付与するバネの配置空間を小さくできるとともに、上昇する筐体内温度により伸張していき強まる形状回復力が相対向して伸張する付勢力を超える場合、蓋閉止部材は、形状回復力により軸長方向の一方に移動して係合部に確実に係合する。他方、部品が冷え、低下する筐体内温度により逆変態していき弱まる形状回復力が相対向して伸張する付勢力より下回った場合、蓋閉止部材は、付勢力により軸長方向の他方に移動して係合部から確実に離脱する。
【００１９】
また、本発明に係る蓋閉止構造は、前記蓋閉止部材が前記係合部に係合しているか否かを検出する検出部と、該検出部の検出結果を表示する表示部とを備えることを特徴とする。
【００２０】
本発明にあっては、蓋閉止部材が係合部に係合しているか否かを検出し、検出結果は、表示部に表示される。
【００２１】
また、本発明に係る蓋閉止構造は、前記蓋閉止部材の移動を操作する操作部を備えることを特徴とする。
【００２２】
本発明にあっては、蓋閉止部材は、操作部により移動する。
【００２３】
また、本発明に係る投射型画像表示装置は、筐体が有する開口部を開閉する蓋を閉止する蓋閉止構造を備え、筐体内に収納しているランプを前記開口部を介して挿脱する投射型画像表示装置において、前記蓋閉止構造は、上述の発明に記載の蓋閉止構造であることを特徴とする。
【００２４】
本発明にあっては、例えばランプが発熱し、上昇する筐体内温度により形状回復力が強まる場合、蓋閉止部材は、付勢力を超えた形状回復力により係合部に係合する。他方、ランプが冷却され、低下する筐体内温度により形状回復力が弱まり付勢力より下回る場合、蓋閉止部材は、形状回復力を超えた付勢力により係合部から離脱する。
【発明の効果】
【００２５】
本発明にあっては、例えば筐体内の部品が発熱し、上昇する筐体内温度により形状回復力が強まる場合、付勢力を超えた形状回復力により蓋閉止部材を係合部に係合して蓋を閉止状態に拘束でき、作業者は火傷する危険性を回避できる。他方、筐体内温度の低下が鈍い場合でも、形状回復力が弱まって付勢力を下回り、形状回復力を超えた付勢力により早期に蓋閉止部材を係合部から離脱して蓋の閉止状態の拘束を解除でき、作業者は待機することなく迅速に交換作業を開始することができる。
【００２６】
また、本発明にあっては、蓋閉止部材及びバネの配置空間を小さくできるとともに、蓋閉止部材の移動方向に伝わり易い形状回復力及び付勢力により蓋閉止部材を確実に移動させて、作業者は火傷する危険性を確実に回避でき、他方、作業者は待機することなく迅速かつ確実に交換作業を開始することができる。
【００２７】
また、本発明にあっては、作業者は、蓋閉止部材が係合部に係合して蓋が閉止状態に拘束されているか否かを、筐体外部から確認することができ、無理に開蓋せず、蓋，ロック部材及び掛止部を破壊してしまうことを回避できる。
【００２８】
また、本発明にあっては、緊急時、又はロック部材が故障した場合であっても、作業者は筐体外部から手動により蓋の閉止状態の拘束を解除でき、筐体内の部品の取り出し又はロック部材の修理を行うことができる。
【００２９】
更にまた、本発明にあっては、筐体内のランプが発熱し、上昇する筐体内温度により形状回復力が強まる場合、付勢力を超えた形状回復力により蓋閉止部材を係合部に係合して蓋を閉止状態に拘束でき、作業者は火傷する危険性を回避できる。他方、筐体内温度の低下が鈍い場合でも、形状回復力が弱まって付勢力を下回り、形状回復力を超えた付勢力により早期に蓋閉止部材を係合部から離脱して蓋の閉止状態の拘束を解除でき、作業者は待機することなく迅速にランプの交換作業を開始することができる。
【発明を実施するための最良の形態】
【００３０】
実施の形態１．
以下、本発明に係る蓋閉止構造及び蓋閉止構造を備えた投射型画像表示装置について、実施の形態を示す図面に基づいて説明する。図１は本発明に係る蓋閉止構造を備えた投射型画像表示装置の斜視図、図２は蓋の平面図である。
【００３１】
図１中、１は投射型画像表示装置である。投射型画像表示装置１は、直方体の筐体１０を有している。筐体１０は、正面１１に画像光を外部に向かって投射する投射レンズ２を備え、底板１２の隅に筐体１０を支持する前脚１３ａ，１３ｂ及び後脚１３ｃ，１３ｄを備え、底板１２の中央付近に投射型画像表示装置１の幅方向を長手方向とする長方形の開口部３を備える。また、筐体１０は、内部にランプ４を収納している。
【００３２】
ランプ４は、開口部３を介して挿脱して交換することができ、開口部３との対向面４ａに筐体１０から引き抜くための指掛部４１を備える。
【００３３】
開口部３は、背面寄り長手縁側の内側面３ａに係止口３２ａ，３２ｂを、一方の短手縁側の内側面３ｂに円形の係合口５を備え、嵌脱する同形の蓋６により開閉される。
【００３４】
蓋６は、側面６ａに爪６１ａ，６１ｂが凸設されている。爪６１ａ，６１ｂは、蓋６が開口部３に嵌合する際、係止口３２ａ，３２ｂに係止して、蓋６を筐体１０に固定する。また、蓋６は、内面６ｂであって係合口５と同心をなす位置に、一条の溝６２が長手方向に沿って形成されている。
【００３５】
溝６２は、蓋６の長手方向の長さより短く、嵌合する際に開口部３の内側面３ｂと対向する側面６ｃ及び溝端６３との間に円形の貫通孔６３ａが形成され、中央付近に支持板６４が溝端６３と対向して設けられている。支持板６４は、貫通孔６３ａと同心をなす位置に円形の貫通孔６４ａが形成されている。即ち、係合口５，溝６２，貫通孔６３ａ及び貫通孔６４ａは同心をなしている。溝６２は、丸棒状の蓋閉止棒７を嵌着している。蓋閉止棒７は、端部７ａ及び７ｂを夫々貫通孔６３ａ及び６４ａに遊貫し、溝６２内を移動する。
【００３６】
移動する蓋閉止棒７の端部７ａは、係合口５に係合するか、又は、係合口５から離脱する。
【００３７】
蓋閉止棒７は、中央付近の外周面に受け環７１を環装し、一端を溝端６３に圧接し他端を受け環７１に圧接する弾性体である圧縮コイルバネ８、及び、一端を受け環７１に圧接し他端を支持板６４に圧接する形状記憶部材である形状記憶コイルバネ９が夫々外嵌されている。
【００３８】
圧縮コイルバネ８は、蓋閉止棒７が係合口５に係合した場合、受け環７１が溝端６３へ近接するのに伴い圧縮され、蓋閉止棒７の軸長方向に伸張しようとする付勢力を生じさせる。
【００３９】
形状記憶コイルバネ９は、Ｔｉ−Ｎｉ合金又はＣｕ−Ｚｎ−Ａｌ合金等の形状記憶合金により形成され、高温相が安定する温度に加熱されると伸張して形状回復力を生じさせ、低温相で逆変態により収縮する形状へ変形する形状記憶効果を有する。
【００４０】
次に、筐体内温度に応じて変形する形状記憶部材の形状回復力又は弾性体の付勢力により移動する蓋閉止部材の動作について説明する。図３及び図４は本発明に係る蓋閉止構造を備えた投射型画像表示装置の側面視からの内部構造を説明する模式的断面図である。
【００４１】
筐体１０内の温度が上昇した場合、図３に示すとおり、温度により伸張して強まる形状記憶コイルバネ９の形状回復力が相対向して伸張する圧縮コイルバネ８の付勢力より大きくなり、蓋閉止棒７は、該形状回復力により軸長方向の一方へ移動して端部７ａが係合口５に係合する。その結果、蓋閉止棒７を支持する蓋６は、係合口５を有する底板１２に固定され、開口部３を閉止した状態に拘束される。
【００４２】
一方、筐体１０内の温度が低下した場合、図４に示すとおり、温度により逆変態して弱まる形状記憶コイルバネ９の形状回復力が相対向して伸張する圧縮コイルバネ８の付勢力を下回り、即ち、付勢力が形状回復力より大きくなり、蓋閉止棒７は、該付勢力により軸長方向の他方へ移動して端部７ａが係合口５から離脱する。その結果、蓋閉止棒７を支持する蓋６は、係合口５を有する底板１２に対する固定が解除され、開口部３の閉止状態の拘束が解除される。
【００４３】
以上のとおり、実施の形態１では、ランプを挿脱できる投射型画像表示装置を例として説明したが、これに限らず、高温になるランプを挿脱できる光学式顕微鏡であってもよい。
【００４４】
実施の形態２．
実施の形態２では、更に蓋閉止部材が係合部に係合しているか否かを検出し、検出結果を表示部に表示でき、蓋閉止部材の移動を操作部により操作できる機能を有する例を示す。図５は本発明に係る蓋閉止部材の係合の可否を検出する構造を示す模式図、図６は本発明に係る蓋閉止構造を備えた投射型画像表示装置において、蓋閉止部材の移動を操作する構造を示す模式的断面図である。
【００４５】
係合口５は、奥面に、蓋閉止棒７を検出する検出部として圧力センサ７２を備える。圧力センサ７２は、端部７ａが係合口５に係合した際、端部７ａにより押圧されて信号を発する。他方、圧力センサ７２は、端部７ａが係合口５から離脱し端部７ａによる押圧がなくなる場合、信号を発しない。
【００４６】
当該信号は、表示制御部７３へ送られ、信号を受けた表示制御部７３は、表示部である表示ランプ７４に給電する制御を行う。表示ランプ７４は、筐体１０の底板１２の外面に設置されている。その結果、端部７ａが係合口５に係合している場合、表示ランプ７４は点灯し、端部７ａが係合口５から離脱する場合、表示ランプ７４は消灯して、筐体外部から蓋閉止棒７が係合口５に係合しているか否かを確認できる。
【００４７】
蓋６は、溝６２の支持板６４及び溝端６５間に、内周面６２aから蓋６の外面６ｄへ貫いた貫通孔６８が形成されている。
【００４８】
蓋閉止棒７は、周面に、蓋閉止棒７の移動を操作するための操作レバー７５が凸設されている。操作レバー７５は、貫通孔６８から蓋６の内周面６２aと面一をなすように突出しており、貫通孔６８に沿って移動することにより蓋閉止棒７を応動させる。その結果、操作レバー７５を操作することにより、蓋閉止棒７を係合口５から離脱（又は係合）させることができる。また、内周面６２aと面一をなしている操作レバー７５は、マイナスドライバー等の汎用器具を利用して手動操作をしなければ容易に移動されないため、作業者が不用意に開蓋して火傷することはない。
【００４９】
本実施の形態２は以上の如き構成としてあり、その他の構成及び作用は、実施の形態１と同様であるので、対応する部分には同一の参照番号を対応してその詳細な説明は省略する。
【００５０】
尚、上述した実施の形態では、弾性体は圧縮コイルバネであり、形状記憶部材は高温相（又は低温相）で伸張（又は収縮）するがこれに限らず、弾性体は伸張バネであり、形状記憶部材は低温相（高温相）で伸張（又は収縮）するようにしてもよい。
【００５１】
また、上述した実施の形態では、弾性体及び形状記憶部材は、蓋閉止棒７の周面に外嵌されているがこれに限らず、蓋閉止棒７の軸長方向に並設してもよい。
【００５２】
また、本発明は、ロック部材である蓋閉止部材と該蓋閉止部材に形状回復力を付与する形状記憶部材とを独立して備えることにより、形状記憶部材に疲労が発生した場合でも蓋閉止部材自体の強度は維持され蓋の筐体への閉止状態を確実に拘束できる。
【図面の簡単な説明】
【００５３】
【図１】本発明に係る蓋閉止構造を備えた投射型画像表示装置の斜視図である。
【図２】蓋の平面図である。
【図３】本発明に係る蓋閉止構造を備えた投射型画像表示装置の側面視からの内部構造を説明する模式的断面図である。
【図４】本発明に係る蓋閉止構造を備えた投射型画像表示装置の側面視からの内部構造を説明する模式的断面図である。
【図５】本発明に係る蓋閉止部材の係合の可否を検出する構造を示す模式図である。
【図６】本発明に係る蓋閉止構造を備えた投射型画像表示装置において、蓋閉止部材の移動を操作する構造を示す模式的断面図である。
【符号の説明】
【００５４】
１    投射型画像表示装置
１０  筐体
３    開口部
４    ランプ
５    係合口
６    蓋
７    蓋閉止棒
７２  圧力センサ
７３  表示制御部
７４  表示ランプ
７５  操作レバー
８    圧縮コイルバネ
９    形状記憶コイルバネ
【図１】
2007251058.tif 000003
【図２】
2007251058.tif 000004
【図３】
2007251058.tif 000005
【図４】
2007251058.tif 000006
【図５】
2007251058.tif 000007
【図６】
2007251058.tif 000008